(57)【要約】【課題】  送信原稿枚数に対して受信側の受信枚数を減らすことができると共に、受信側において強調したい部分を際立たせる。【解決手段】  画像データの送受信を行う画像処理装置において、前記画像データのうち予め指示された指定領域のデータを抽出する抽出手段と、前記画像データ中のテキストデータに変換可能な領域を認識する認識手段と、前記認識手段で認識した結果に基づいて、前記画像データをテキストデータと画像データとに分離する分離手段と、前記分離されたテキストデータのうち前記指定領域のデータ以外のテキストデータのサイズを縮小変換するテキストサイズ変換手段と、前記分離された画像データのうち前記指定領域のデータ以外の画像データのサイズを縮小変換する画像サイズ変換手段と、前記変換したテキストデータと画像データとを再配置する再配置手段とを備えた。【選択図】  図４
2005236919.tif 000002
【特許請求の範囲】
【請求項１】
画像データの送受信を行う画像処理装置において、
前記画像データのうち予め指示された指定領域のデータを抽出する抽出手段と、
前記画像データ中のテキストデータに変換可能な領域を認識する認識手段と、
前記認識手段で認識した結果に基づいて、前記画像データをテキストデータと画像データとに分離する分離手段と、
前記分離されたテキストデータのうち前記指定領域のデータ以外のテキストデータのサイズを縮小変換するテキストサイズ変換手段と、
前記分離された画像データのうち前記指定領域のデータ以外の画像データのサイズを縮小変換する画像サイズ変換手段と、
前記変換したテキストデータと画像データとを再配置する再配置手段と、
を備えた画像処理装置。
【請求項２】
前記指定領域は色彩を施した抽出条件を付与した領域である請求項１記載の画像処理装置。
【発明の詳細な説明】
【技術分野】
【０００１】
本発明は、画像処理装置に関する。
【背景技術】
【０００２】
従来、送信原稿枚数に対して受信側の受信枚数（受信ボリューム）を減らす技術として、スキャナーによって読み取られた複数枚の画像データを縮小し、この縮小された複数枚の画像を１枚の画像データに編集して送信するファクシミリ装置が提案されている（特許文献１参照）。
【０００３】
これは、送信原稿枚数が多い場合でもその送信原稿枚数に比べて送信時間を短時間にすることができ、且つ、受信側のファクシミリ装置で消費される記録紙の消費量を送信原稿枚数に比べて削減することができるという技術である。
【特許文献１】特開平０５−１８３７２２号公報
【発明の開示】
【発明が解決しようとする課題】
【０００４】
しかしながら、上述の従来技術では、送信画像を縮小することで受信側の受信枚数を減らすことはできるが、送信画像全体が縮小されているために、送信画像中に強調したい文章等がある場合、受信側に対して強調したい画像情報までも見え辛くしてしまうといった問題があった。
【０００５】
そこで、本発明では、送信原稿枚数に対して受信側の受信枚数を減らすことができると共に、送信原稿画像のうち強調したい部分以外を縮小して送信することで、受信側において強調したい部分を際立たせることができる画像処理装置を提供することを目的とする。
【課題を解決するための手段】
【０００６】
本発明は、画像データの送受信を行う画像処理装置を前提としている。
【０００７】
本発明は、前記画像データのうち予め指示された指定領域のデータを抽出する抽出手段と、前記画像データ中のテキストデータに変換可能な領域を認識する認識手段と、前記認識手段で認識した結果に基づいて、前記画像データをテキストデータと画像データとに分離する分離手段と、前記分離されたテキストデータのうち前記指定領域のデータ以外のテキストデータのサイズを縮小変換するテキストサイズ変換手段と、前記分離された画像データのうち前記指定領域のデータ以外の画像データのサイズを縮小変換する画像サイズ変換手段と、前記変換したテキストデータと画像データとを再配置する再配置手段とを備えた構成としている。
【０００８】
このようにすれば、送信原稿枚数に対して受信側の受信枚数を減らすことができると共に、送信原稿画像のうち強調したい部分以外を縮小して表示させることで、強調したい部分を際立たせることができる。
【０００９】
また、前記指定領域は色彩を施した抽出条件を付与した領域である構成としてもよい。このようにすれば、指定領域をより抽出し易くなる。
【発明の効果】
【００１０】
送信原稿枚数に対して受信側の受信枚数を減らすことができると共に、送信原稿画像のうち強調したい部分以外を縮小して送信することで、受信側において強調したい部分を際立たせることができる。
【発明を実施するための最良の形態】
【００１１】
以下、本発明を画像処理装置としてのファクシミリ装置に適用した場合を例にとって説明する。
【００１２】
図１は本発明の実施の形態におけるファクシミリ装置の機能ブロック図であり、図２は本発明の実施の形態におけるファクシミリ装置の動作を示すフロー図である。
【００１３】
本発明の実施の形態におけるファクシミリ装置１は電話回線を通じて外部と接続されている。
【００１４】
ユーザは送信処理をする前に、例えば図４Ａに示すような送信原稿を作成するが、ここで当該送信原稿は写真画像とテキスト画像とで作成されているものとする。
【００１５】
上記原稿作成の際に、ユーザは強調したいデータを指示するための属性の付与、例えば当該強調領域として指定した領域（以下、指定領域という）を、例えば赤色の色彩を施した枠で囲む等をして指定領域８ａ、８ｂとする。
【００１６】
以下では、上記送信原稿を送信する場合のこのファクシミリ装置の動作を図２に基づいて説明する。
【００１７】
ユーザは送信原稿に対して、通常の等倍サイズのファクシミリ送信を行う通常モードか、縮小サイズのファクシミリ送信を行う縮小モードかを、図３に示す入力画面２の選択ボタン２ａ、２ｂいずれかを選択することでモード設定手段３に入力する。
【００１８】
このとき、縮小モードを選択した場合には、強調したい指定領域以外を縮小するために、その指定領域以外の領域の縮小サイズ（例えば、縮小倍率５０％）を入力画面２からサイズ設定手段４に入力する。さらに、上記指定領域の属性（例えば、赤で囲む）を入力画面２上のリストボックス５ａから選択して抽出条件設定手段５に入力する（Ｓ１）。なお、上記リストボックス５ａの選択は上下への矢印記号５ｂを押すことで順次指定領域の属性が選択できる構成としている。
【００１９】
続いてスタートボタン２ｃを押すと、読み取り手段６が起動し上記送信原稿を読み取る（Ｓ２）。
【００２０】
上記送信原稿の読み取りが終了し、上記入力されたモードが縮小モードでない場合は、上記読み取った送信原稿の画像データは通常の等倍サイズで送信手段１４を介してファクシミリ送信される（Ｓ３→Ｓ１１）。
【００２１】
一方、上記入力されたモードが縮小モードである場合、抽出手段７が起動し、上記読み取った送信原稿の画像データに指定領域が有るか否かの判定を行う（Ｓ３→Ｓ４）。
【００２２】
判定処理Ｓ４で、指定領域が無いと判定されたときは、‘そのまま送信してもよいか？’との判断を促す画面で警告表示し（Ｓ４→Ｓ１２）、‘はい’のキーを押して選択した場合は、送信原稿の画像データは縮小処理がされて（Ｓ１４）送信手段１４を介してファクシミリ送信される（Ｓ１２→Ｓ１３→Ｓ１１）。一方、‘いいえ’のキーを押して選択した場合は処理を終了する。
【００２３】
一方、判定処理Ｓ４で、指定領域が有ると判定された場合、さらに抽出手段７は、ユーザが上記抽出条件設定手段４に入力した指定領域の属性（例えば、赤で囲む）に基づいて、指定領域（赤色を施した枠で囲んだ領域）８ａ、８ｂを抽出する（Ｓ４→Ｓ５）。
【００２４】
その後、ＯＣＲ（Optical Character Recognition）等で構成される認識手段８が起動し、文字認識方法で上記送信原稿中のテキストデータに変換可能な領域をテキストデータに変換する（Ｓ６）。
【００２５】
上記テキストデータへの変換が終了すると、認識の結果に基づいて分離手段９が送信原稿の画像データをテキストデータと画像データに分離する（Ｓ７）。
【００２６】
上記サイズ設定手段４に入力された縮小サイズ情報に基づいて、上記指定領域以外の領域の上記認識されたテキストデータはテキストサイズ変換手段１０により縮小変換される。
【００２７】
さらに、上記サイズ設定手段４に入力された縮小サイズ情報と上記抽出した指定領域を示す情報とに基づいて、上記指定領域以外の画像データは画像サイズ変換手段１１により縮小変換される（Ｓ８）。例えば、図４Ａの例の場合、写真画像が画像サイズ変換手段１１により縮小変換される。
【００２８】
上記指定領域のデータと、上記縮小変換されたテキストデータと写真画像は、再配置手段１２により、例えば、まず上記縮小変換された写真画像が配置され、当該写真画像を配置したその他の領域に上記縮小変換されたテキストデータと上記指定領域のテキストデータとが書き込まれて再配置される（Ｓ９）。なお、この再配置は、まず上記縮小変換されたテキストデータと上記指定領域のテキストデータとが書き込まれ、当該書き込まれたテキストデータの配置された他の領域に、上記縮小変換された写真画像を配置するという順序であってもよいし、その他の順序であってもよい。
【００２９】
上記再配置されたテキストデータと写真画像はデータ変換手段１３によりビットマップデータに変換されて送信手段１４を介して送信される（Ｓ１０→Ｓ１１）。
【００３０】
図４Ｂは上記のように送信された送信原稿を受信した受信内容を示す図であり、送信原稿と比較して小さなサイズの用紙に出力され、強調したい指定領域は送信原稿の元あったサイズのままであり、縮小されたテキストデータと写真画像と共に再配置され合成されている。
【００３１】
このようにすれば、送信原稿枚数に対して受信側の受信枚数を減らすことができると共に、送信原稿画像のうち強調したい部分以外を縮小して送信することで、受信側において強調したい部分を際立たせることができる。
【００３２】
さらにユーザは強調したいデータを指示するために色彩を施した属性を付与した領域を抽出することで上記指定領域の抽出がより容易になる。
【００３３】
なお、画像処理装置としてのファクシミリ装置に適用した例で説明したが、パーソナルコンピュータとのインターフェース機能を有するファクシミリ装置に適用する構成としてもよい。なお、この場合、原稿画像を読み取る構成に代えて原稿に対応する電子データとして入力する点、および、文字認識方法によってテキストデータを認識することに代えて、当該電子データから直接テキストデータを認識する点、を除けば上述のファクシミリ装置に適用した場合と同様である。さらに、複写機やスキャナーに適用する構成としてもよい。
【００３４】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００３５】
送信原稿枚数に対して受信側の受信枚数を減らすことができる共に、送信原稿画像のうち強調したい部分以外を縮小して送信することで、受信側において強調したい部分を際立たせることができるので有用である。
【図面の簡単な説明】
【００３６】
【図１】本発明の実施の形態におけるファクシミリ装置の機能ブロック図である。
【図２】本発明の実施の形態におけるファクシミリ装置の動作を示すフロー図である。
【図３】入力画面を示す図である。
【図４】送信原稿画像と受信画像を示す図である。
【符号の説明】
【００３７】
７    抽出手段
８    認識手段
９    分離手段
１０    テキストサイズ変換手段
１１    画像サイズ変換手段
１２    再配置手段
【図１】
2005236919.tif 000003
【図２】
2005236919.tif 000004
【図３】
2005236919.tif 000005
【図４】
2005236919.tif 000006